(57)【要約】【課題】異常スパークの発生抑制及び高入力化に適するとともに、製造に伴うブラシの損傷を抑制できるブラシ装置を提供する。【解決手段】主電流方向に延びる貫通孔３９を中央部に有したブラシ主部３６と、貫通孔３９にブラシ主部３６よりも抵抗率が低い導電性粉末を詰めて固めてなる電気導体３７とを有したブラシ３５を備える。このブラシ３５が移動可能に収納される四角筒状のブラシホルダ３２が有したバネ受３２ａと対向するブラシ主部３６の端部に、凸部３５ａで囲まれたバネ受凹部３８を設ける。ブラシ３５をブラシホルダ３２の開口３２ｂより突出させる方向に付勢するコイルバネ４８の一端部をバネ受３２ａに支持させるとともに、コイルバネ４８の端部４８ａをバネ受凹部３８に嵌合させる。【選択図】      図３
2006197724.tif 000002
【特許請求の範囲】
【請求項１】
一端にバネ受を有するとともに他端が開口された四角筒状のブラシホルダと；
主電流方向に延びる貫通孔を中央部に有したブラシ主部、及び前記貫通孔に前記ブラシ主部よりも抵抗率が低い導電性粉末を詰めて固めてなる電気導体を備えて、前記ブラシホルダに移動可能に収納されるとともに、前記バネ受と対向する前記ブラシ主部の端部に凸部で囲まれたバネ受凹部が形成されたブラシと；
前記ブラシホルダに収容され、一端部が前記バネ受に支持されるとともに他端部が前記バネ受凹部に嵌合されて、前記ブラシを前記開口より突出させる方向に付勢するコイルバネと；
を具備したブラシ装置。
【請求項２】
前記ブラシ主部の外周面とその凸部の外周面とを面一に連続させ、これらの外周面を前記ブラシホルダの内周面に摺接させた請求項１に記載のブラシ装置。
【請求項３】
電動機フレームと；
このフレームに取付けられたステータと；
ロータ軸及びこれに固定された整流子を有して、前記ステータの内側に配置されるとともに前記電動機フレームに回転自在に取付けられたロータと；
前記整流子の外周にブラシを押付けて前記電動機フレームに取付けられた請求項１又は２に記載のブラシ装置と；
を具備した整流子電動機。
【発明の詳細な説明】
【技術分野】
【０００１】
本発明は、整流子に摺動接触するブラシを有して発電機や整流子電動機等に備えられるブラシ装置に関するとともに、このブラシ装置を備えて例えば電気掃除機の電動送風機の電動機部等に使用される整流子電動機に関する。
【背景技術】
【０００２】
従来、ブラシ主部にその主電流方向に延びる穴を設けて、この穴に、ブラシ主部よりも低抵抗の銅粉末を詰めて、それを突き固めてなる電気導体を設けることによって、ブラシの全電気抵抗を小さくして、ブラシでの抵抗損失及び発熱を少なくしたブラシ装置が知られている（例えば特許文献１参照。）。
【０００３】
この特許文献１のブラシ装置では、ブラシを整流子に押付けるためのコイルバネの径に対応する断面円弧形状のコイルガイド部が、ブラシホルダの相対向する一対の壁に形成されていて、これらのコイルガイド部によりブラシホルダ内でのコイルバネの不用意な動きを抑制している。これにより、整流子にブラシが押付けられる方向を一定に維持して、ブラシと整流子との間で異常なスパークが発生することを抑制している。しかし、コイルガイド部が形成されたブラシホルダは大形であるので、ブラシ装置を備えた整流子電動機の小型化と高入力化を促進する上では、好ましくない。
【０００４】
一方、断面円弧形状のコイルガイド部を有さない簡易型のブラシ装置が従来知られている。このブラシ装置は、一端にバネ受を有するとともに他端が開口された四角筒状の導電性ブラシホルダと、このホルダに移動可能に収納されたブラシと、一端部がバネ受に固定され他端部が電気導体内に埋め込まれたピッグテールと、このピッグテールを内側に通してブラシホルダに収容されブラシを前記開口より突出させる方向に付勢するコイルバネとを具備している。
【０００５】
このブラシ装置では、コイルバネによるブラシの付勢方向を一定化するために、断面円弧状のコイルガイド部に代えてバネ受と対向するブラシの端部中央部に凸部を一体に設けて、この凸部にコイルバネのブラシ側端部を嵌合させている。それにより、ブラシホルダ内でのコイルバネの不用意な動きを抑制して、整流子にブラシが押付けられる方向を一定に維持するように構成されている。
【特許文献１】特開平5-38099号公報（段落0006、0022−0029,0031−0034、図１−図４）
【発明の開示】
【発明が解決しようとする課題】
【０００６】
コイルガイド部を有さないブラシホルダを備えた前記後者のブラシ装置は、小型に形成するのに適しているが、そのブラシには、整流子との間でのスパークの発生を抑制するために抵抗値の高いカーボン粉末を固めてなるカーボン系ブラシが採用されていて、高入力化に適する格別な対策は施されていなかった。
【０００７】
ところで、既述のようにブラシにその主電流方向に延びる電気導体を設けて高入力化を図る技術が特許文献１で知られている。
【０００８】
こうした事情から本発明者は、コイルガイド部を有さないブラシホルダを備えた前記後者のブラシ装置が備えるブラシの中央部に貫通孔を設けて、そこに詰められた低抵抗の導電性粉末を突き固めることによって電気導体としたブラシ装置を試作した。この試作品を図５に示す。
【０００９】
図５中符号１はブラシホルダ、符号２はブラシホルダ１内に移動可能に収納されたブラシ、符号３はピッグテール、符号４はブラシ２を付勢するコイルバネを示している。ブラシ２は、主成分であるカーボンを合成樹脂製結着材とともに圧縮固化したものを焼成してなるブラシ主部２ａと、この主部２ａの中央部に主電流方向に貫通して設けた貫通孔２ｂに、銅粉などの導電性粉末を詰めて、この粉末を突き固めて形成された電気導体２ｃとからなる。更に、ブラシホルダ１のバネ受１ａと対向するブラシ２の端部中央には、バネ受１ａ方向に一体に突出する凸部２ｄが設けられ、この端面に電気導体２ｃの一端が露出されている。そして、一端がバネ受１ａに固定されたピッグテール３の他端部は電気導体２ｃの前記一端側部分に埋め込まれており、バネ受１ａとブラシ２との間に挟まれたコイルバネ４のブラシ側端部は凸部２ｄの外周に嵌合されている。
【００１０】
図５に示したブラシ装置で、ブラシ主部２ａ内に電気導体２ｃを設けるには、貫通孔２ｂに適当量の銅粉末を収容してそれを突き固め、その後、貫通孔２ｂに凸部２ｄ側からピッグテール３の端部を挿入した状態で、銅粉末を更に収容してそれを突き固めることで行った。しかし、こうして電気導体２ｃが設けられた図５のブラシ装置では、以下のように改善すべき課題があることが分かった。
【００１１】
すなわち、以上のように貫通孔２ｂ内で銅粉を突き固めるに伴って、ブラシ主部２ａにはその内側から圧力（内圧）が作用する。この場合、図５に示したブラシ装置の構成では、ブラシ２の全長にわたって延びた貫通孔２ｂの長さの範囲内に、ブラシ主部２ａの凸部２ｄが位置しているので、凸部２ｄにも前記内圧が作用する。その上、ブラシ主部２ａ自体の断面が小さい上に、その中央部に貫通孔２ｂを設けたことによって、凸部２ｄの肉厚が薄くなっているので、この凸部２ｄの強度は低い。特に、異常スパークの発生を抑制するために、軟らかなカーボン粉末を用いてブラシ主部２ａを形成して、整流子に対するブラシ２の座乗性を良くした構成では、凸部２ｄの強度が更に低くなる。
【００１２】
このため、前記内圧によって、凸部２ｄの根元とコイルバネ４を受けるバネ受面２ｅとがなす角部を起点とするクラックが貫通孔２ｂに向けて発生することがある。このクラックの発生は、貫通孔２ｂ内で銅粉を突き固める力を小さくすることで抑制可能であるが、この場合には、銅粉同士の密着性が低下して、銅粉相互間の接触抵抗が増える。つまり、電気導体２ｃの抵抗値が大きくなってしまうので、好ましい対策ではない。
【００１３】
本発明の目的は、異常スパークの発生抑制及び高入力化に適するとともに、製造に伴うブラシの損傷を抑制できるブラシ装置と整流子電動機を提供することにある。
【課題を解決するための手段】
【００１４】
前記課題を解決するために、本発明のブラシ装置は、主電流方向に延びる貫通孔を中央部に有したブラシ主部と、貫通孔にブラシ主部よりも抵抗率が低い導電性粉末を詰めて固めてなる電気導体を有したブラシを備え、このブラシが移動可能に収納される四角筒状のブラシホルダが有したバネ受と対向するブラシ主部の端部に、凸部で囲まれたバネ受凹部を設け、ブラシをブラシホルダの開口より突出させる方向に付勢するコイルバネの一端部をバネ受に支持させるとともに、コイルバネの他端部をバネ受凹部に嵌合させている。
【発明の効果】
【００１５】
本発明によれば、異常スパークの発生抑制及び高入力化に適するとともに、製造に伴うブラシの損傷を抑制できるブラシ装置を提供できるとともに、このブラシ装置を備えた整流子電動機を提供できる。
【発明を実施するための最良の形態】
【００１６】
図１〜図４を参照して本発明の一実施形態を説明する。
【００１７】
図１中符号１１は例えば電気掃除機に搭載される電動送風機を示しており、これは電動機部１１ａとファン部１１ｂとで形成されている。
【００１８】
電動機部１１ａは、整流子電動機、例えば整流子付きマグネットモータからなる。この電動機部１１ａは、電動機フレーム１２と、ステータ２１と、ロータ２４と、一対のブラシ装置３１とを具備している。
【００１９】
電動機フレーム１２は、例えば合成樹脂製の第１フレーム部材１３と第２フレーム部材１４とからなる。第１フレーム部材１３の一端部は径が拡大されており、この拡径端部１３ｅに連結された第２フレーム部材１４によって、拡径端部１３ｅの端面開口が覆われている。第１フレーム部材１３の他端部には排気部１３ａ、１３ｂが開口されている。第１フレーム部材１３の他端部中央には軸受取付け部１３ｃが一体に形成されている。
【００２０】
第２フレーム部材１４は整流板を兼ねており、その周部には周方向に一定間隔で図示しない風入口が設けられている。この第２フレーム部材１４の裏面には複数枚の整流ブレード１４ａが一体に形成されている。第２フレーム部材１４の中央部には軸受取付け部１４ｃが一体に形成されている。
【００２１】
ステータ２１は電動機フレーム１２内に取付けられている。ステータ２１は環状であり、その内周面に２個のマグネット２２（一方のみ図示する。）が装着されている。これらのマグネット２２は、厚み方向に着磁されていて、ステータ２１の内空部に臨んだ磁極面に現れた磁極は互いに異なっている。ステータ２１の外周面と第１フレーム部材１３の内周面との間等にはフレーム内通気路が設けられている。この通気路は、前記整流ブレード１４ａ間のディフューザ流路と排気部１３ａ、１３ｂとを連通している。
【００２２】
ロータ２４は、ロータ軸２５に、アーマチュアコイル２６が巻き付けられたロータコア２７と、整流子２８と、一対の軸受２９，３０とを取付けて形成されている。アーマチュアコイル２６の端末部は整流子２８に接続されている。軸受２９，３０は、ロータコア２７及び整流子２８を相互間に置いてロータ軸２５に取付けられている。
【００２３】
ロータ２４は、一方の軸受２９を軸受取付け部１３ｃの内側に嵌合して支持させるとともに、他方の軸受３０を軸受取付け部１４ｃの内側に嵌合して支持させることにより、ステータ２１の内側に配置されて電動機フレーム１２に回転自在に取付けられている。この取付け状態で、ロータコア２７はマグネット２２との間に僅かなギャップを設けて対向し又、ロータ軸２５は第２フレーム部材１４の中央部に設けた孔を貫通して電動機フレーム１２の外部に突出されている。
【００２４】
ファン部１１ｂは、金属製のファン５１と、金属製のファンカバー５２とを備えている。ファン５１は、電動機フレーム１２の外部に突出されたロータ軸２５の端部に連結して設けられている。ファンカバー５２は、その円形をなす外周壁部を第２フレーム部材１４の外周部に嵌合して取付けられている。このファンカバー５２の中央部にはファン５１の吸込み口と対向する開口が開けられている。電動機部１１ａによって回転されるファン５１の外周から吐出される風は、ファンカバー５２の内面に沿って前記風入口に導かれる。
【００２５】
図２〜図４を参照して電動機部１１ａが備える一対のブラシ装置３１を以下説明する。このブラシ装置３１は、ブラシホルダ３２と、ブラシ３５と、ピッグテール４５と、コイルバネ４８とを具備している。
【００２６】
ブラシホルダ３２は、導電性材料、例えば金属、好ましくは一枚の黄銅板を折り曲げて形成されている。詳しくは、ブラシホルダ３２は、図２に示すように一端にバネ受３２ａを一体に有するとともに、他端が開口３２ｂされた四角筒状をなしている。バネ受３２ａはＵ字状の切欠き３２ｅを有している。このバネ受３２ａは、ブラシ装置３１の組立て時に折り曲げられて、図３に示すようにブラシホルダ３２の一端開口を閉じる。このブラシホルダ３２は、コイルバネ４８の径に対応する断面円弧形状のコイルガイド部を有していないため、こうしたコイルガイド部を有した既存のブラシホルダよりも長手方向と直交する断面の寸法がかなり小さい。
【００２７】
ブラシホルダ３２のバネ受３２ａが突出された壁には、この壁に対して僅かに斜めとなるように突出する係止片３２ｃ（図１及び図３参照）が一体に切起こされている。更に、前記壁から直角状に折れ曲がるとともに相対向した一対の壁の夫々には、位置決め片３２ｄ（一方のみ図２等に図示）が切起こされている。
【００２８】
ブラシ３５は図２に示すように四角柱状をなしている。このブラシ３５は、図３に示すようにブラシ主部３６と、電気導体３７とから形成されている。ブラシ主部３６は、カーボンを主成分とし、この粉末に結着材を混ぜた原料粉末を、プレス型を用いて圧縮固化して圧粉体とし、この圧粉体を焼成して作られている。ブラシ主部３６をなす原料粉末には、整流子２８との座乗性（整流子２８が周部に有した整流子片の表面へのブラシ３５の接触を保持する特性）をよくする上で、弾性係数が低く、それにより軟らかな粉末を用いることが好ましい。この種の原料粉末として、結着材に合成樹脂を用いた樹脂バインドタイプの導電粉末材料を挙げることができる。
【００２９】
ブラシ主部３６の長手方向（主電流方向）一端部に、図４に示すように好ましい例として環状をなす凸部３５ａで囲まれた円形のバネ受凹部３８が形成されている。バネ受凹部３８の径はコイルバネ４８の直径より僅かに大きい。凸部３５ａの外周面は好ましい例としてブラシ主部３６の外周面と面一に連続している。凸部３５ａは、電気導体３７の長さ範囲から外れているとともに、ブラシ３５を通る主電流からも外れている。
【００３０】
単体の状態のブラシ主部３６はその中央部に主電流方向に延びる貫通孔３９を有している。この貫通孔３９の大径孔部とこれに同心的に配置されて連続した小径孔部とからなる。貫通孔３９の大径孔部は、小径孔部より短く、バネ受凹部３８の中央部に開口されている。貫通孔３９の小径孔部は、ブラシ主部３６の他端部の端面、つまり、整流子２８に接する他端部の端面に開口されている。
【００３１】
電気導体３７は、ブラシ３５を通る電流が主として流れる主電流経路をなすものであって、貫通孔３９を埋めてブラシ主部３６に内蔵されている。この電気導体３７は、ブラシ主部３６の電気抵抗率よりも抵抗率が低い導電性粉末を、貫通孔３９内に詰めて固めることによって設けられている。電気導体３７の断面積はブラシ主部３６の断面積より小さい。
【００３２】
導電性粉末には銅粉末を好適に使用できる。この場合、１以上の突起を有した銅粉末を用いることは、通電時における電気導体３７の熱膨張によるブラシ主部３６への内圧を低減する上で好ましい。更に、銅粉末の外周に銅よりも導電性が高い（電気抵抗率が低い）銀などの貴金属をメッキしてなるメッキ層を設けた導電性粉末を用いることは、ブラシ３５の全電気抵抗を更に小さくする上で好ましい。
【００３３】
貫通孔３９内に電気導体３７を設けるには、貫通孔３９に適当量の導電性粉末を収容して、この粉末を突き固め、この後に、貫通孔３９に凸部３５ａ側からピッグテール４５の端部を挿入した状態で、導電性粉末を更に収容してこの粉末を突き固めることにより実施される。
【００３４】
ところで、以上のように貫通孔３９内で導電性粉末を突き固めるに伴って、ブラシ主部３６にはその内側から圧力（内圧）が作用する。しかし、この内圧は、凸部３５ａに直接波及することがない。つまり、凸部３５ａは、コイルバネ４８が嵌合されるバネ受凹部３８を囲んで設けられ、このバネ受凹部３８の底面に貫通孔３９が開口されている。この凸部３５ａは、ブラシ主部３６に内圧が掛かる領域、言い換えれば、導電性粉末が詰められる貫通孔３９の長さ範囲に相当する領域Ｌ（図３参照）、更に言い換えれば電気導体３７の長さ範囲から外れて設けられている。
【００３５】
このため、凸部３５ａが薄肉であり、かつ、この凸部３５ａとバネ受凹部３８の底面とが角を形成しているにも拘わらず、この角及び凸部３５ａに前記内圧が直接波及することがない。これにより、ブラシ３５の損傷を抑制できる。つまり、前記内圧によって前記角を起点とするクラックがブラシ主部３６に生じないように抑制できる。そして、これに伴いブラシ３５とピッグテール４５とからなるブラシアセンブリの歩留まりを向上できる。
【００３６】
ピッグテール４５は、多数の細い軟銅線を撚って形成されており、容易に変形可能である。ピッグテール４５の一端部は、折り曲げられたバネ受３２ａの表面に抵抗溶接等により固定されている。ピッグテール４５の他端部は、図３に示すように貫通孔３９の大径孔部内に挿入されて電気導体３７内に埋め込まれて、この導体３７に電気的かつ機械的に接続されている。
【００３７】
コイルバネ４８の内側にピッグテール４５が通されている。コイルバネ４８の一方の端部はバネ受３２ａに支持され、コイルバネ４８の他の端部４８ａはバネ受凹部３８に嵌合されている。
【００３８】
図２に示した組立て前のブラシ装置３１は、ブラシ３５のピッグテール４５が接続されていない方の端部を先頭にして、このブラシ３５をブラシホルダ３２に挿入してから、係止片３２ｃを折り曲げることにより、図３に示すように組立てられる。この組立て状態では、バネ受凹部３８及び凸部３５ａとバネ受３２ａが対向して、これらの間にコイルバネ４８が圧縮状態に挟みこまれるとともに、ピッグテール４５のバネ受凹部３８側の端部は、バネ受３２ａの切欠き３２ｅに通される。したがって、ブラシ３５の他端部はコイルバネ４８のバネ力でブラシホルダ３２の開口３２ｂから押し出される。前記組立てによりコイルバネ４８とともにブラシホルダ３２に収容されたブラシ３５の内面の縦横寸法と、ブラシホルダ３２の内面の縦横寸法とは、ブラシ３５の全外周面がブラシホルダ３２の内周面に軽微に摺動接触する寸法関係に設定することが望ましい。
【００３９】
以上のように組立てられたブラシ装置３１は、図１に示すように第１フレーム部材１４に整流子２８を間に置いて形成された一対のブラシ取付け部１４ｄに個別に押し込んで取付けられている。このブラシ装置３１の押し込み完了は、前記位置決め片３２ｄがブラシ取付け部１４ｄの受け面に当たることにより規制され、この規制と同時に係止片３２ｃがブラシ取付け部１４ｄの係止部に引っ掛けられる。
【００４０】
これにより、ブラシ装置３１が不用意に外れないように第１フレーム部材１４の所定位置に取付け保持されるとともに、ブラシホルダ３２から突出されたブラシ３５の端部が整流子２８の外周面に、コイルバネ４８のバネ力で押付けられる。又、第１フレーム部材１４へのブラシ装置３１の前記固定により、そのブラシホルダ３２は、電動機フレーム１２内を通る風で冷やされるように前記フレーム内通気路から電動機フレーム１２の第１フレーム部材１３外に向けて流出する風に晒される位置に配置される。
【００４１】
前記電動送風機１１の運転時に整流子１５とブラシ装置３１のピッグテール４５との間を流れる電流は、カーボンを主成分としたブラシ主部３６よりも電気抵抗が小さくブラシ３５の略全長にわたって埋め込まれた電気導体３７を主として流れる。これにより、ブラシ３５の全電気抵抗が小さくなるため、ブラシ３５での電流の抵抗損失が少なくなる。このようにブラシ装置３１は電動送風機用の電動機部（整流子電動機）１１ａの高入力化に適しているので、電動機部１１ａの運転効率を向上できる。
【００４２】
そして、前記構成のブラシ装置３１は、そのブラシホルダ３２が、コイルバネ４８の不用意な動きを防止するための断面円弧状のコイルガイド部を有していない小型なものであるにも拘らず、整流子２８との間での異常スパークの発生を抑制できる。つまり、ブラシ３５を整流子２８に押し付けるコイルバネ４８のブラシ側の端部４８ａが、バネ受３２ａと対向したブラシ主部３６の端部に形成されたバネ受凹部３８に嵌合されているので、コイルバネ４８がブラシ３５を整流子２８に押付ける方向を、振動などの影響に拘わらず安定させることができる。更に、本実施形態では、ブラシ３５の全外周面がブラシホルダ３２の内周面に接しているので、ブラシホルダ３２内でのブラシ３５の不用意な動きが抑制され、この点でもブラシ３５が整流子２８に押付けられる方向を安定化させることができる。したがって、ブラシ３５と整流子２８との間での異常スパークの発生が抑制される。
【００４３】
更に、ブラシ装置３１の電気導体３７の長さが、図５に示した試作品のブラシ装置の電気導体２ｃの長さと同じであるとすると、バネ受凹部３８を囲んだ凸部３５ａの長さ分だけブラシ３５の全長が長くなる。このため、ブラシホルダ３２内でのブラシ３５の不用意な動きがより抑制される。したがって、この点でもブラシ３５が整流子２８に押付けられる方向が安定し、ブラシ３５と整流子２８との間での異常スパークの発生を抑制できる。しかも、このようにブラシ３５の全長が長くなることにより、電動機フレーム１２を通る風で空冷されているブラシホルダ３２の内面に全外周面が接しているブラシ３５のブラシホルダ３２への熱伝達面積が増える。このため、ブラシ３５からブラシホルダ３２への放熱特性が向上されるに伴いブラシ３５の温度上昇を更に抑制する上でも好ましい。
【００４４】
この逆に、凸部３５ａを含んだブラシ３５の全長が、図５に示した試作品のブラシ装置のブラシ２の全長と同じであるとすると、バネ受凹部３８の深さ分だけ電気導体３７の長さが図５に示した試作品のブラシ装置の電気導体２ｃの長さより短くなる。このため、電気導体３７での電気抵抗が更に小さくなって、電動機部１１ａの効率向上に寄与できる。
【００４５】
なお、本発明は前記一実施形態には制約されない。例えば、環状をなした凸部の外周面は、それ以外のブラシ主部部位の外周面とは必ずしも面一でなくても良い。又、凸部は、周方向に完全に連続せずに一部が途切れていてもよく、或いは内側面が少なくとも円弧状をなした複数の凸部要素をブラシ主部の周方向に互いには離して設けた構成であってもよい。
【図面の簡単な説明】
【００４６】
【図１】本発明の一実施形態に係るブラシ装置を有する整流子電動機を電動機部として備えた電動送風機を一部断面して示す側面図。
【図２】図１の電動送風機が備えるブラシ装置を組立て前の状態で示す斜視図。
【図３】組立てられた図２のブラシ装置を長手方向に沿って断面して示す斜視図。
【図４】図２のブラシ装置が備えるブラシ主部の反整流子側端部を示す斜視図。
【図５】本発明者が試作したブラシ装置を長手方向に沿って断面して示す斜視図。
【符号の説明】
【００４７】
１１…電動送風機、１１ａ…電動機部（整流子電動機）、１２…電動機フレーム、１３…第１フレーム部材、１４…第２フレーム部材、２１…ステータ、２４…ロータ、２５…ロータ軸、２８…整流子、３１…ブラシ装置、３２…ブラシホルダ、３２ａ…バネ受、３２ｂ…開口、３５…ブラシ、３５ａ…凸部、３６…ブラシ主部、３７…電気導体、３８…バネ受凹部、３９…貫通孔、４５…ピッグテール、４８…コイルバネ、４８ａ…コイルバネの端部
【図１】
2006197724.tif 000003
【図２】
2006197724.tif 000004
【図３】
2006197724.tif 000005
【図４】
2006197724.tif 000006
【図５】
2006197724.tif 000007